(57)【特許請求の範囲】
【請求項１】
その背面が開口する筐体と、
前記筐体内に配置される電気部品と、
前記筐体の背面の開口を閉塞するとともに、前記電気部品を挿通可能な開口部を有する背面板と、
前記電気部品を固定し、且つ、前記固定した前記電気部品を前記開口部から挿通させるとともに、前記背面板に固定される取付部材と、
を備え、
前記取付部材は、前記電気部品の一部に固定された板状の一対の吊下部材と、前記吊下部材の前面であって、前記吊下部材の上下端側にそれぞれ設けられた突出部と、前記突出部の下面と前記吊下部材の前面との稜部に重力方向に沿って設けられた前記背面板を嵌合可能な溝部と、を具備し、
前記背面板は、前記吊下部材の上端側に設けられた前記突出部を挿通させる開口であって、前記溝部をその開口の下端部と嵌合させる嵌合部を具備し、
前記吊下部材に固定される前記電気部品は、その一方側に発熱部を有するインバータであり、
前記吊下部材は、前記発熱部を固定し、前記開口部から前記インバータの他方側を前記筐体内へ挿通させ、
前記吊下部材の下端側に設けられた前記突出部は、前記開口部の下端部に挿入され、前記開口部の下端部と前記溝部が嵌合することを特徴とする制御盤。
【請求項２】
モータと、
モータにより流体を圧送するポンプと、
その背面が開口する筐体、前記筐体内に配置され、前記モータ又は前記ポンプと接続された電気部品、前記筐体の背面の開口を閉塞するとともに、前記電気部品を挿通可能な開口部を有する背面板、及び、前記電気部品を固定し、且つ、前記固定した前記電気部品を前記開口部から挿通させるとともに、前記背面板に固定される取付部材を具備する前記モータを制御する制御盤と、
を備え、
前記取付部材は、前記電気部品の一部に固定された板状の一対の吊下部材と、前記吊下部材の前面であって、前記吊下部材の上下端側にそれぞれ設けられた突出部と、前記突出部の下面と前記吊下部材の前面との稜部に重力方向に沿って設けられた前記背面板を嵌合可能な溝部と、を具備し、
前記背面板は、前記突出部を挿通させる開口であって、前記溝部をその開口の下端部と嵌合させる嵌合部を具備し、
前記吊下部材に固定される前記電気部品は、その一方側に発熱部を有するインバータであり、
前記吊下部材は、前記発熱部を固定し、前記開口部から前記インバータの他方側を前記筐体内へ挿通させ、
前記吊下部材の下端側に設けられた前記突出部は、前記開口部の下端部に挿入され、前記開口部の下端部と前記溝部が嵌合することを特徴とするポンプ装置。
【発明の詳細な説明】
【技術分野】
【０００１】
本発明は、電気部品が用いられた制御盤及び制御盤を用いたポンプ装置に関する。
【背景技術】
【０００２】
現在、ポンプを制御盤により制御することで、自動給水するポンプ装置が知られている。このようなポンプ装置は、キャビネット内にポンプやモータを収納するものが知られている（例えば、特許文献１参照）。また、ポンプ装置は、制御基板、インバータ、漏電ブレーカー、ノイズフィルタ、直流リアクトル、マグネットコンタクタ及び冷却ファン等の電気部品をその内部に有する制御盤が、キャビネット上部に載置される。
【先行技術文献】
【特許文献】
【０００３】
【特許文献１】特開２００５−３５０９５７号公報
【発明の概要】
【発明が解決しようとする課題】
【０００４】
上述した制御盤では、以下の問題があった。即ち、制御盤及びポンプ装置は、据付面積の低減及び小型化の要求から、省スペース化、即ち制御盤の内部のスペースの低減が求められている。しかし、制御盤内の各電気部品を近接して配置すると、各電気部品の発熱による影響により、電気部品の寿命の低下を招く。
【０００５】
また、制御盤の小型化のために、制御盤内の各電気部品を互いに近接させて配置させると、各電気部品の接続配線が近接し、このため、制御盤内の電気部品が故障した場合に、当該故障した電気部品の交換作業において、接続配線に悪影響を与える虞がある。
【０００６】
このような従来の技術の問題について、図１３及び図１４を用いて説明する。  
図１３中左図に示すように、制御盤内に設けられた電気部品２００には、ボルト等の締結部材Ｂにより、接続配線２０１が固定されている。故障した電気部品２００の交換作業においては、電気部品２００を制御盤の取付板２０２から取り外す場合に、締結部材Ｂによる接続配線２０１の締結を解除し、電気部品２００から接続配線２０１を取り外す。
【０００７】
しかし、図１３中右図に示すように、取り外された接続配線２０１は、電気部品２００を取付板２０２から除去する場合に電気部品２００と干渉するため、当該接続配線２０１を折り曲げることがある。また、当該作業において接続配線が電気部品に干渉する虞や、当該干渉による接続配線の被覆の損傷の虞等もある。
【０００８】
このため、交換頻度の高い電気部品については、図１４に示すように、故障頻度の高い電気的機能部２１１と、ターミナル部２１２とを備え、図１４に実線及び二点差線で示すように、電気的機能部２１１をターミナル部２１２から分離可能な電気部品２１０を用いる技術も知られている。
【０００９】
このような電気部品２１０は、電気的機能部２１１が故障しても新たな電気的機能部２１１と交換すればよく、高いメンテナンス性を有し、且つ、ランニングコストを低減することができる。また電気部品２１０は、取付板２０２にターミナル部（ソケット端子台）２１２を固定させ、且つ、接続配線２０１がターミナル部２１２に接続した状態で電気的機能部２１１を交換できるため、接続配線２０１の損傷を防止することが可能となる。
【００１０】
しかし、このような電気的機能部２１１とターミナル部２１２とが分離可能な電気部品２１０は高価であり、また、分離ができない電気部品よりも大型であることから、製造コストの増大及び大型化となる。
【００１１】
また、制御盤の主要部品であるインバータ、漏電ブレーカー及びマグネットコンタクタ等においては、電気的機能部２１１がターミナル部２１２と分離可能なものが少ない。
【００１２】
そこで本発明は、小型化が可能であって、熱影響及び接続配線の干渉を防止可能な制御盤及びポンプ装置を提供することを目的としている。
【課題を解決するための手段】
【００１３】
前記課題を解決し目的を達成するために、本発明の制御盤及びポンプ装置は次のように構成されている。
【００１４】
本発明の一態様として、制御盤は、その背面が開口する筐体と、前記筐体内に配置される電気部品と、前記筐体の背面の開口を閉塞するとともに、前記電気部品を挿通可能な開口部を有する背面板と、前記電気部品を固定し、且つ、前記固定した前記電気部品を前記開口部から挿通させるとともに、前記背面板に固定される取付部材と、を備え、前記取付部材は、前記電気部品の一部に固定された板状の一対の吊下部材と、前記吊下部材の前面であって、前記吊下部材の上下端側にそれぞれ設けられた突出部と、前記突出部の下面と前記吊下部材の前面との稜部に重力方向に沿って設けられた前記背面板を嵌合可能な溝部と、を具備し、前記背面板は、前記吊下部材の上端側に設けられた前記突出部を挿通させる開口であって、前記溝部をその開口の下端部と嵌合させる嵌合部を具備し、前記吊下部材に固定される前記電気部品は、その一方側に発熱部を有するインバータであり、前記吊下部材は、前記発熱部を固定し、前記開口部から前記インバータの他方側を前記筐体内へ挿通させ、前記吊下部材の下端側に設けられた前記突出部は、前記開口部の下端部に挿入され、前記開口部の下端部と前記溝部が嵌合する。
【００１５】
本発明の一態様として、ポンプ装置は、モータと、モータにより流体を圧送するポンプと、その背面が開口する筐体、前記筐体内に配置され、前記モータ又は前記ポンプと接続された電気部品、前記筐体の背面の開口を閉塞するとともに、前記電気部品を挿通可能な開口部を有する背面板、及び、前記電気部品を固定し、且つ、前記固定した前記電気部品を前記開口部から挿通させるとともに、前記背面板に固定される取付部材を具備する前記モータを制御する制御盤と、を備え、前記取付部材は、前記電気部品の一部に固定された板状の一対の吊下部材と、前記吊下部材の前面であって、前記吊下部材の上下端側にそれぞれ設けられた突出部と、前記突出部の下面と前記吊下部材の前面との稜部に重力方向に沿って設けられた前記背面板を嵌合可能な溝部と、を具備し、前記背面板は、前記突出部を挿通させる開口であって、前記溝部をその開口の下端部と嵌合させる嵌合部を具備し、前記吊下部材に固定される前記電気部品は、その一方側に発熱部を有するインバータであり、前記吊下部材は、前記発熱部を固定し、前記開口部から前記インバータの他方側を前記筐体内へ挿通させ、前記吊下部材の下端側に設けられた前記突出部は、前記開口部の下端部に挿入され、前記開口部の下端部と前記溝部が嵌合する。
【発明の効果】
【００１６】
本発明によれば、熱影響及び接続配線の干渉を防止可能であって、小型化が可能な制御盤及びポンプ装置を提供することが可能となる。
【図面の簡単な説明】
【００１７】
【図１】本発明の一実施の形態に係るポンプ装置の構成を示す側面図。
【図２】同ポンプ装置の構成を示す上面図。
【図３】同ポンプ装置に用いられる制御盤の構成を示す正面図。
【図４】同制御盤の構成を模式的に示す正面図。
【図５】同制御盤の構成を模式的に示す断面図。
【図６】同制御盤の構成を模式的に示す断面図。
【図７】同制御盤に用いられる電気部品の構成を模式的に示す正面図。
【図８】同電気部品の構成を模式的に示す底面図。
【図９】同電気部品の構成を模式的に示す背面図。
【図１０】同制御盤の背面板の構成を模式的に示す正面図。
【図１１】同背面板の要部構成を拡大して示す説明図。
【図１２】同制御盤の要部構成を模式的に示す説明図。
【図１３】従来の制御盤に用いられる電気部品の交換作業を模式的に示す説明図。
【図１４】従来の制御盤に用いられる電気部品の構成を模式的に示す説明図。
【発明を実施するための形態】
【００１８】
以下、本発明の一実施の形態に係るポンプ装置１００を、図１乃至図１２を用いて説明する。  
図１は本発明の一実施の形態に係るポンプ装置１００の構成を示す側面図、図２はポンプ装置１００の構成を示す上面図、図３はポンプ装置１００に用いられる制御盤１の構成を示す正面図、図４は制御盤１の内部構成を模式的に示す正面図、図５は制御盤１の構成を図３中Ｖ−Ｖ断面で模式的に示す断面図、図６は制御盤１の構成を図３中ＶＩ−ＶＩ断面で模式的に示す断面図、図７は制御盤１に用いられる電気部品１２であるインバータ３１の構成及び制御盤１への設置を模式的に示す正面図、図８はインバータ３１の構成及び制御盤１への設置を模式的に示す底面図、図９はインバータ３１の構成及びインバータ３１の制御盤１への設置を模式的に示す背面図、図１０は制御盤１の背面板２３の構成を模式的に示す正面図、図１１は背面板２３の要部構成である切欠部５１及び開口部５２の構成を拡大して示す説明図、図１２は制御盤１の背面板２３へのインバータ３１を取り付ける取付部材４１の設置を模式的に示す説明図である。
【００１９】
なお、図２中、Ｆは流体の流れを示す。また、図２乃至図４中、接続配線３６の記載は一部省略するが、各電気部品１２は、接続配線３６で制御基板１１等に接続されている。
【００２０】
図１に示すように、ポンプ装置１００は、ポンプ部１０１と、ポンプ部１０１を設置させるベース１０２と、ベース１０２上部に支持台１０３を介して固定される制御盤１とを備えている。
【００２１】
ポンプ部１０１は、ベース１０２上に配置されたモータ１１２及びポンプ１１３と、ポンプ１１３の吐出側を合流させる吐出配管１１４と、吐出配管１１４に接続された圧力タンク１１５と、を備えている。
【００２２】
モータ１１２及びポンプ１１３は、単数又は複数設けられる。本実施の形態においては、モータ１１２及びポンプ１１３は、２台設けられる構成にて説明する。ポンプ１１３は、給水源と配管等を介して接続可能なフランジ１１３ａを有する吸込口１１３ｂを備えている。また、ポンプ１１３は、その吐出口が、吐出配管１１４に接続されている。
【００２３】
支持台１０３は、その上部に制御盤１を載置可能に形成されている。
【００２４】
図１乃至図６に示すように、制御盤１は、筐体１０と、制御基板１１と、複数の電気部品１２と、取付手段１３と、報知部材１４と、を備えている。
【００２５】
筐体１０は、前面及び背面が開口する方体状の箱体２１と、箱体２１の前面を覆う前面板２２と、箱体２１の背面に固定された箱体２１の背面を覆う背面板２３と、を備えている。前面板２２は、その上端縁又は下端縁の一方、図１の実施形態においては下端縁に、箱体２１に接続されるヒンジ部２４を有し、当該ヒンジ部２４を支点に回動可能に形成されている。即ち、前面板２２は、ヒンジ部２４を支点に回動することで、箱体２１の前面の開口を開閉する。また、前面板２２は、その開閉を規制するキーシリンダ２２ａと、制御盤１の操作及び状態の説明等の情報を記載した案内表示部２２ｂと、を備えている。なお、キーシリンダ２２ａは、キーにより回動されることで、箱体２１に係合し、前面板２２を固定可能に形成されている。
【００２６】
背面板２３は、電気部品１２の一部、及び、取付手段１３を取り付け可能に形成されている。背面板２３は、箱体２１に溶接や締結部材等により固定されている。背面板２３は、電気部品１２の一部及び取付手段１３を取り付ける複数の被取付部２５を備えている。また、背面板２３は、被取付部２５の上方を覆うカバー２６を備えている。
【００２７】
被取付部２５は、後述するインバータ３１を取り付ける取付部材４１を固定する第１被取付部２５Ａと、インバータ３１を除く電気部品１２を取り付ける雌ねじ孔等の第２被取付部２５Ｂと、を備えている。
【００２８】
制御基板１１は、前面板２２に配置される。制御基板１１は、電装部２７と、表示部２８と、を備えている。電装部２７は、モータ及びポンプの運転制御等のソフトウェアを記憶可能なメモリと、ポンプの流量情報や吐出圧力情報を入力可能な入力部と、メモリ及び入力部等の情報からポンプの運転を制御する制御部と、を備えている。
【００２９】
表示部２８は、ポンプの制御の状態や、警告等を表示可能なディスプレイである。表示部２８は、視認性を向上させるバックライトを点灯可能に形成されている。表示部２８は、一定時間経過後に、バックライト及び表示を消灯させて消費電力を抑えることが可能に形成されている。
【００３０】
図２乃至図４に示すように、複数の電気部品１２は、インバータ３１、漏電ブレーカー３２、ノイズフィルタ３３、直流リアクトル３４、及び、冷却ファン３５等である。複数の電気部品１２は、背面板２３に固定される。また、複数の電気部品１２は、少なくともその一部が、背面板２３に取付手段１３を介して固定される。また、複数の電気部品１２は、制御基板１１や他の電気部品１２と接続配線３６により電気的に接続される。
【００３１】
インバータ３１は、モータ１１２に接続される。本実施の形態においては、インバータ３１は、二台のモータ１１２にそれぞれ接続される構成を説明する。また、インバータ３１は、制御基板１１の制御部からの運転指令に基づいてモータ１１２を駆動することで、ポンプを低速運転及び可変速制御運転が可能に形成されている。
【００３２】
インバータ３１は、モータ１１２の回転速度を可変可能に形成されている。また、インバータ３１は、温度サーマル及び電子サーマルを有し、これら温度サーマル及び電子サーマルの故障の前に停止する機能、及び、当該停止状態を表示部２８に表示する機能を有している。
【００３３】
インバータ３１は、ヒートシンクが外表面に形成された発熱部３７を有している。なお、この発熱部３７は、インバータ３１の一方側に配置される。インバータ３１は、取付手段１３に固定されるとともに、当該取付手段１３を介して背面板２３の第１被取付部２５Ａに固定される。
【００３４】
漏電ブレーカー３２は、インバータ３１にそれぞれ設けられる。漏電ブレーカー３２は、インバータ３１の故障時に、電気回路を遮断することで電力の供給を遮断する。なお、漏電ブレーカー３２は、少なくともインバータ３１の交換時に、インバータ３１への電力の供給を遮断可能であればよい。漏電ブレーカー３２は、取付手段１３に固定されるとともに、当該取付手段１３を介して背面板２３の第２被取付部２５Ｂに固定される。
【００３５】
ノイズフィルタ３３は、高調波成分を除去するコイル及びコンデンサを備える複合回路部品と、外来サージを吸収するアレスタと、を備えている。また、ノイズフィルタ３３は、外部からの電源入力端子台と、ポンプのヒータ等をＯＮ−ＯＦＦ可能なスイッチと、漏電ブレーカー３２及び制御基板１１に電力を供給する端子台と、を備えている。また、ノイズフィルタ３３は、これら複合回路部品と、アレスタと、電源入力端子台と、スイッチと、端子台とを配置し、且つ、背面板２３に固定される支持台３９を備えている。
【００３６】
直流リアクトル３４は、高調波成分の抑制とインバータ３１の電源側の入力力率改善が可能に形成されている。直流リアクトル３４は、各インバータ３１にそれぞれ接続され、背面板２３に固定される。なお、直流リアクトル３４は、冷却ファン３５に近接して配置される。
【００３７】
冷却ファン３５は、背面板２３に固定される。冷却ファン３５は、制御基板１１に接続され、インバータ３１の温度や筐体１０内の温度に基づいてその駆動及び停止の制御がなされる。
【００３８】
取付手段１３は、インバータ３１を背面板２３に固定する複数の取付部材４１と、インバータ３１以外の電気部品１２を背面板２３に固定する締結部材と、を備えている。取付部材４１は、背面板２３に沿って設けられインバータ３１の発熱部３７と対向する開口４３ａを有する排熱板４３と、背面板２３に固定されるとともに、インバータ３１の発熱部３７を固定する一対の吊下部材４４である。排熱板４３及び吊下部材４４は、金属材料により一体に形成されている。
【００３９】
吊下部材４４は、排熱板４３の両側端に設けられる。吊下部材４４は、発熱部３７の両側面に嵌合又は締結部材による締結等により固定される。吊下部材４４は、その上下端側であって、背面板２３と対向する部位（前面）に突出部４５を備えている。突出部４５は、その下面と吊下部材４４の前面との稜部に、重力方向に伸びる溝部４６を有する。
【００４０】
図１０及び図１１に示すように、取付部材４１が取り付く背面板２３の第１被取付部２５Ａは、吊下部材４４の上端側に設けられた突出部４５をそれぞれ挿通させる切欠部５１と、インバータ３１及び吊下部材４４の下端側に設けられた突出部４５を挿通させる開口部５２と、を備えている。即ち、第１被取付部２５Ａは、背面板２３に形成された開口である。切欠部５１は、その幅が突出部４５と同一又は突出部４５の幅よりも若干広く形成される。
【００４１】
また、背面板２３の切欠部５１の下端部、及び、開口部５２の下端部の厚みが溝部４６の幅と略同一に形成されている。切欠部５１及び開口部５２は、突出部４５の挿通後、上方の突出部４５の溝部４６と切欠部５１の下端部、及び、下方の突出部４５の溝部４６と開口部５２の下端部とが、それぞれ嵌合可能に形成されている。即ち、切欠部５１及び開口部５２は、突出部４５と嵌合する嵌合部である。
【００４２】
なお、切欠部５１が背面板２３に設けられたカバー２６に位置する場合には、切欠部５１は、背面板２３及びカバー２６の両方に亘って設けられる。また、溝部４６は、背面板２３及びカバー２６に形成された切欠部５１の下端部の厚みと略同一に形成されていればよい。
【００４３】
このように構成されたポンプ装置１００は、制御盤１の複数の電気部品１２のインバータ３１が、取付部材４１により筐体１０の背面側から背面板２３に固定することが可能となる。以下、電気部品１２の一である、インバータ３１の取付けについて説明する。
【００４４】
先ず、インバータ３１の発熱部３７の側面を、一対の吊下部材４４に固定させる。次に、図４乃至図９及び図１２に示すように、インバータ３１が固定された吊下部材４４の突出部４５，４５を、対応する切欠部５１及び開口部５２に挿入させる。
【００４５】
切欠部５１及び開口部５２に突出部４５，４５が挿入した状態で、インバータ３１を重力方向に移動させて、溝部４６と切欠部５１及び開口部５２の下端部とをそれぞれ嵌合させる。この嵌合により、インバータ３１は、背面板２３に固定される。
【００４６】
このとき、インバータ３１の前後方向の重い側に溝部４６を中心とした回転モーメントが加わり、当該回転モーメントにより、溝部４６の内面及び／又は吊下部材４４の前面と背面板２３の外面とが互いに当接する。
【００４７】
このように、インバータ３１が固定された一対の吊下部材４４を背面板２３に吊下げることで、インバータ３１の自重による重力方向の力と溝部４６を支点とした回転モーメントとにより、背面板２３に取付部材４１が固定され、背面板２３にインバータ３１が固定される。これにより、インバータ３１が固定された取付部材４１は、背面板２３に、重力方向、背面板２３の面方向、並びに、重力方向及び背面板２３の面方向と直交する方向（背面板２３に対して離接する方向）の３軸方向で固定される。
【００４８】
このようにインバータ３１を背面板２３に取付部材４１を介して固定後、図５に示すように、インバータ３１と接続配線３６を接続させる。
【００４９】
このように構成されたポンプ装置１００によれば、制御盤１は、筐体１０の背面側から電気部品１２を取付けることが可能となるため、電気部品１２の着脱が容易となる。具体的に説明すると、電気部品１２を制御盤１の正面側から見た場合に、図４に示すように、電気部品１２とオーバーラップする状態で、接続配線３６が配置される。
【００５０】
図１３に示すように、従来の技術においては、電気部品２００の故障等において、当該故障した電気部品２００を交換するときは、接続配線２０１と電気部品２００の接続を解除し、接続配線２０１はそのままで電気部品２００を取付板２０２から取り外す。この電気部品２００を筐体１０の正面からを取り出す場合には、図９に示すように接続配線２０１を折り曲げる必要があり、また、故障した電気部品２００が接続配線２０１と干渉する場合がある。
【００５１】
しかし、本発明の制御盤１は、筐体１０の背面側から電気部品１２を挿入し、且つ、背面側（背面板２３）に取付部材４１を介して電気部品１２を固定する構成であるため、接続配線３６と電気部品１２との接続を解除後、電気部品１２は、筐体１０の背面側から取り外せばよい。即ち、電気部品１２の取り外しにおいて、接続配線３６との干渉を防止することが可能となり、作業性の向上が可能となる。
【００５２】
また、制御盤１は、取付手段１３を筐体１０の被取付部２５に取り付けるだけでよく、位置決め及び取付が容易となり、電気部品１２の背面板２３への組立作業の作業性の向上となる。特に、組立作業については、作業者の熟練度に係らず、溝部４６を切欠部５１及び開口部５２に挿入するだけで、電気部品１２の位置決めがされるため、品質の確保が容易となる。
【００５３】
また、制御盤１は、取付手段１３への電気部品１２の取付によって、必要に応じて、電気部品１２の一部を筐体１０の外側に配置することも可能となる。即ち、電気部品１２の高温となる部位を筐体１０の外側に配置することで、筐体１０内の温度上昇を防止することが可能となる。
【００５４】
具体的に説明すると、制御盤１は、例えば、電気部品１２の一であるインバータ３１の取付において、取付部材４１の吊下部材４４にインバータ３１の発熱部３７を固定する。このインバータ３１が固定された取付部材４１を、当該発熱部３７を筐体１０の外側に配置し、且つ、他部を筐体１０の内部に配置させて背面板２３に吊下げる構成とすることで、発熱部３７を筐体１０の外側に位置させることが可能となる。
【００５５】
また、取付部材４１は、排熱板４３に開口４３ａを設けることで、発熱部３７を極力外気に曝露することが可能となる。このため、発熱部３７を効率よく冷却することが可能となる。
【００５６】
特に、インバータ３１は、その発熱量が他の電気部品１２に比べて大であり、このため、インバータ３１の発熱部３７を筐体１０の外に配置させることで、制御盤１内の温度上昇を抑えるとともに、効率的な冷却が可能となる。これにより、他の電気部品１２への熱影響を低減させ、制御盤１（各電気部品１２）の寿命の低下を防止することが可能となる。
【００５７】
また、インバータ３１等の重量が比較的重い電気部品１２の場合には、従来では筐体１０の背面を下方となるように横置きさせて、電気部品１２の着脱を行っていた。しかし、本願発明の制御盤１のように、筐体１０の背面板２３に取付部材４１により電気部品１２を吊下げることで、当該電気部品１２を筐体１０に固定させる際に、筐体１０を横置きとする必要がない。
【００５８】
また、取付部材４１により電気部品１２が背面板２３に吊下げられるため、当該吊下後に電気部品１２を作業する場合に、作業者が電気部品１２を支持する必要が殆どない。このように、取付部材４１を使用することで、比較的重い電気部品１２を容易に筐体１０に固定可能となる。
【００５９】
さらに、上述したように電気部品１２の取り外しにおいて、接続配線３６との干渉を防止可能、且つ、熱影響を極力防止可能とすることで、各電気部品１２を互いに近接させて配置することが可能となる。これにより、電気部品１２の収納スペース（筐体１０）の小型化となるとともに、電気部品１２の配置の自由度が向上し、結果、制御盤１の小型化が可能となる。
【００６０】
上述したように本実施の形態に係る制御盤１及びポンプ装置１００によれば、取付部材４１によって、制御盤１の背面側からに電気部品１２を制御盤１内に挿入し、且つ、固定することで、熱影響及び接続配線の干渉を防止可能、且つ、小型化が可能となる。
【００６１】
なお、本発明は前記実施の形態に限定されるものではない。例えば、上述した例では、取付手段１３の取付部材４１は、突出部４５を切欠部５１及び開口部５２に挿入して吊下げ、溝部４６を切欠部５１及び開口部５２の下端部（背面板２３）に嵌合させて、電気部品１２を固定させる構成を説明したが、これに限定されない。
【００６２】
例えば、取付部材４１を、溝部４６と背面板２３とを嵌合させたあと、さらに、締結部材により背面板２３に電気部品１２及び／又は取付部材４１を固定する構成であってもよい。これにより、取付部材４１及び電気部品１２がより強固に筐体１０に固定されることとなる。また、取付部材４１は、背面板２３に吊下げられる構成であるため、締結部材で締結する際に取付部材４１を支える等の必要がなく、吊下げ後の締結部材による締結作業の作業性がよい。
【００６３】
さらに、上述した例では、電気部品１２のうち、インバータ３１を取付部材４１により筐体１０に取り付ける構成を説明したが、これに限定されない。他の電気部品１２を取付部材４１により背面板２３に固定させてもよい。この他、本発明の要旨を逸脱しない範囲で種々変形実施可能である。
以下に、本願出願の当初の特許請求の範囲に記載された発明を付記する。
［１］  その背面が開口する筐体と、
前記筐体内に配置される電気部品と、
前記筐体の背面の開口を閉塞するとともに、前記電気部品を挿通可能な開口部を有する背面板と、
前記電気部品を固定し、且つ、前記固定した前記電気部品を前記開口部から挿通させるとともに、前記背面板に固定される取付部材と、
を備えることを特徴とする制御盤。
［２］  前記取付部材は、前記電気部品の一部に固定された板状の一対の吊下部材と、前記吊下部材の前面に設けられた突出部と、前記突出部の下面と前記吊下部材の前面との稜部に重力方向に沿って設けられた前記背面板を嵌合可能な溝部と、を具備し、
前記背面板は、前記突出部を挿通させる開口であって、前記溝部をその開口の下端部と嵌合させる嵌合部を具備することを特徴とする［１］に記載の制御盤。
［３］  前記吊下部材に固定される前記電気部品は、その一方側に発熱部を有するインバータであり、
前記吊下部材は、前記発熱部を固定し、前記開口部から前記インバータの他方側を前記筐体内へ挿通させることを特徴とする［２］に記載の制御盤。
［４］  モータと、
モータにより流体を圧送するポンプと、
その背面が開口する筐体、前記筐体内に配置され、前記モータ又は前記ポンプと接続された電気部品、前記筐体の背面の開口を閉塞するとともに、前記電気部品を挿通可能な開口部を有する背面板、及び、前記電気部品を固定し、且つ、前記固定した前記電気部品を前記開口部から挿通させるとともに、前記背面板に固定される取付部材を具備する前記モータを制御する制御盤と、
を備えることを特徴とするポンプ装置。
［５］  前記取付部材は、前記電気部品の一部に固定された板状の一対の吊下部材と、前記吊下部材の前面に設けられた突出部と、前記突出部の下面と前記吊下部材の前面との稜部に重力方向に沿って設けられた前記背面板を嵌合可能な溝部と、を具備し、
前記背面板は、前記突出部を挿通させる開口であって、前記溝部をその開口の下端部と嵌合させる嵌合部を具備することを特徴とする［４］に記載のポンプ装置。
［６］  前記吊下部材に固定される前記電気部品は、その一方側に発熱部を有するインバータであり、
前記吊下部材は、前記発熱部を固定し、前記開口部から前記インバータの他方側を前記筐体内へ挿通させることを特徴とする［５］に記載のポンプ装置。
【符号の説明】
【００６４】
１…制御盤、１０…筐体、１１…制御基板、１２…電気部品、２１…箱体、２２…カバー、２３…背面板、２４…ヒンジ部、２５…被取付部、２５Ａ…第１被取付部、２５Ｂ…第２被取付部、２７…電装部、２８…表示部、３１…インバータ、３２…漏電ブレーカー、３３…ノイズフィルタ、３４…直流リアクトル、３５…冷却ファン、３６…接続配線、３７…発熱部、３９…支持台、４１…取付部材、４４…吊下部材、４５…突出部、４６…溝部、４７…取付板、５１…切欠部（嵌合部）、５２…開口部（嵌合部）、５４…開口部、５５…挿通孔、１００…ポンプ装置、１０１…ポンプ部、１１０…ベース部、１１１…架台、１１２…モータ、１１３…ポンプ、１１４…カバー、１１５…吸込管、１１６…吐出管、２００…電気部品、２０１…接続配線、２０２…取付板、２１０…電気部品、２１１…電気的機能部、２１２…ターミナル部、Ｂ…締結部材。
【図１】
0005830314.tif 000002
【図２】
0005830314.tif 000003
【図３】
0005830314.tif 000004
【図４】
0005830314.tif 000005
【図５】
0005830314.tif 000006
【図６】
0005830314.tif 000007
【図７】
0005830314.tif 000008
【図８】
0005830314.tif 000009
【図９】
0005830314.tif 000010
【図１０】
0005830314.tif 000011
【図１１】
0005830314.tif 000012
【図１２】
0005830314.tif 000013
【図１３】
0005830314.tif 000014
【図１４】
0005830314.tif 000015